(57)【要約】      （修正有）【課題】垂直置きのテレビをそのスクリーン面を水平、又はある程度の傾きを持たせて天井に固定し、長時間横になった状態を強いられる人が楽にテレビを観賞できるようにし、かつその取り付け、取り外しを安全に行えるようにする。【解決手段】取り付け、取り外しの簡便さを図るために天井面から離れた位置（テレビの載せ下ろしができる位置）でテレビを保持することが可能な構造とする。この方法として以下を含む。（イ）吊り枠にヒンジ機能をもたせ回転させて天井面から離す。（ロ）吊り枠にスライド機能とヒンジ機能をもたせて吊り枠全体を下げてから回転させる。（ハ）可動のビームを用いて吊り枠を上げ下げする。【選択図】図１
2007202100.tif 000002
【特許請求の範囲】
【請求項１】
薄型テレビ用の天井固定用アクセサリー
【請求項２】
厚型テレビを天井埋め込み固定にするためのアクセサリー
【請求項３】
薄型テレビを可動ビームにより天井に固定しアクチュエータにて位置可変にしたアクセサリー
【請求項４】
薄型テレビを可動ビームにより天井に固定し長尺ボルトにて位置可変にしたアクセサリー
【請求項５】
請求項３に係るもので可動ビームにガス圧ダンパを用いたアクセサリー
【発明の詳細な説明】
【技術分野】
【０００１】  この発明は、通常、台置きで見るテレビを天井に固定し視聴者は仰臥し天井を眺める状態で観賞するためのアクセサリーに関するものである。
【背景技術】
【０００２】  従来、テレビは床置きか、台置き、壁付き台置き、あるいは天井から吊るす場合でも全てスクリーン面は垂直か、又はそれに近い角度で設置していた。
【発明の開示】
【発明が解決しようとする課題】
【０００３】  従来の方式では、たとえ寝転んでいても頭は立てにして見るのが基本であった。この姿勢は健常者にはよいとしても、体の自由がきかない入院患者や寝たきりの人などには見づらかった。本発明は以上のような欠点をなくすためになされたものである。
【課題を解決するための手段】
【０００４】    これを図面について説明をすれば視聴者とテレビの位置関係は（図１）のごとくになる。（図２）は（請求項１）に係るアクセサリーにテレビを載せ天井に固定した状態を示す。これを詳しく説明すると座板Ａ（１）に吊り具Ａ（３）を２箇所、およびステー（６）を２箇所、吊り枠Ａ（２）の幅に合わせて植立し裏返して天井に固定する。次に吊り枠Ａ（２）に吊り具Ｂ（７）をヒンジボルト（５）にて取り付ける。これを吊り具Ａ（３）と吊り枠Ａ（２）のヒンジボルト穴を合わせてヒンジボルト（５）を通す。さらにセーフティチェーン（９）の端を座板Ａ（１）と吊り枠Ａ（２）に接続する（片側のみ、図７参照）。（図３）はこの状態にテレビを載せた様子を示す。次に吊り枠Ａの低いほうを押し上げ吊り具Ｂ（７）を矢印方向にまわして穴を合わせ締め付けボルト（８）を通しナットで締めれば取り付け完了である（図２参照）。（図４）はａ−ａ′断面，（図５）はｂ−ｂ′断面を示す。（図６）は吊り具Ｂ（７）の長さを変えればスクリーン面の角度を調整できることを示す。（図７）は吊り枠Ａ（２）の斜視図を示す。（図８）は吊り枠Ａ（２）が所定の角度で止まるように設けたストッパーＡ（４）を示す。
（図９）は（請求項２）に係るアクセサリーで厚型テレビを天井に入れ込んだた形で固定した状態を示す。この場合は座板Ｂ（１０）を貫通固定したガイドパイプ（１１）にスライド吊り具（１２）を挿入しストッパーＢ（１３）を付けたところが（請求項１）の場合と異なっている。（図１０）は位置固定ピン（１４）、および締め付けボルト（８）を外し、吊り枠Ａ（２）を下ろした状態を示す。（図１１）は吊り枠Ａ（２）を回転させテレビの載せ下ろしをする場合の状態を示す。（図１２）はｃ−ｃ′断面詳細を示す。
（図１３）、（図１４）は（請求項３）に係るものでアクチュエータＡ（１６）、アクチュエータＢ（１７）、およびビーム（１８）を用いてテレビの位置、傾きを調整できるようにしたものである。（図１５）はアクチュエータＡ（１６）の替わりに長尺ボルト（２０）を用いた場合を示す。
（図１６）、（図１７）、（図１８）はビーム部分にガス圧ダンパ（２２）を用い伸縮させることにより調整範囲を拡大した場合を示し、それぞれ寝て見る場合、楽に座って見る場合、また吊り枠Ｃ（２３）を用いてパソコンを使用する場合を示す。
【発明の効果】
【０００５】  本発明は以上のような構成でテレビのスクリーン面を、障害を持つ視聴者にとって最適の位置、角度に調整することにより楽に観賞できるようにしたものである。またテレビの取り付け、取り外しが容易にできるので保守にも効果的である。
【発明を実施するための最良の形態】
【０００６】  以下、本案の実施の形態について説明する。
本発明は障害者がテレビを楽に観賞できるようにテレビを天井固定としたものであるが、テレビはガラス素材の部品を使用したものであるからその取り付け工事・保守についてはかなりの注意を要する。そこで本発明は天井下面からある程度はなれた位置でいったんテレビを保持できるようにしたのが特徴である。以下３点にまとめて説明する。
（イ）請求項１、請求項２はヒンジボルト（５）により吊り枠（２）を回転させてテレビを天井面から離し、載せ下ろしができる位置で保持できるようにしたものである（図３、図１１参照）。また構造も簡単である。
（ロ）請求項３、請求項４はアクチュエータを用いているのでテレビの位置および傾きが調整でき視聴者によく、また点検保守も容易である。
（ハ）請求項５は、視聴者のみならず、工事・保守関係者にとってももっとも望ましい。
【図面の簡単な説明】
【０００７】
【図１】  本発明の基本構想の説明図で視聴者とテレビの位置関係を示す。
【図２】  請求項１に係るアクセサリーでテレビを天井に固定した場合の側面図。
【図３】  請求項１に係るアクセサリーでテレビの取り付け、取り外し時の状態を示す側面図。
【図４】  請求項１に係るアクセサリーで吊り具Ｂ（７）の長さを変更しスクリーン面に角度をつけた場合を示す側面図。
【図５】  ａ−ａ′断面図
【図６】  ｂ−ｂ′断面図
【図７】  吊り枠Ａ（２）の斜視図
【図８】  吊り枠Ａ（２）のストッパー部の詳細図。
【図９】  請求項２に係るアクセサリーでテレビを天井に取り付け完了した場合の側面図。
【図１０】  請求項２に係るアクセサリーで吊り枠とテレビを下にスライドさせた状態の側面図。
【図１１】  請求項２に係るアクセサリーでテレビの取り付け、取り外し時の状態の側面図。
【図１２】  図９のｃ−ｃ′断面図
【図１３】  請求項３に係るもので薄型テレビを可動のビーム（１８）により天井に固定した側面図
【図１４】  請求項３に係るものでビーム（１８）を回転させた状態の側面図
【図１５】  請求項４に係るものでビーム（１８）の作動に長尺ボルト（２０）を使用した場合を示す側面図
【図１６】  請求項５に係るものでビームにガス圧ダンパ（２２）を用いテレビを視聴者の真上に置いた場合を示す側面図
【図１７】  請求項５に係るものでテレビを視聴者の前方斜め上に置いた場合の側面図
【図１８】  請求項５に係るものでパソコンを使用する場合の側面図
【符号の説明】
【０００８】    １  座板Ａ                          １４  位置固定ピン
２  吊り枠Ａ                        １５  座板Ｃ
３  吊り具Ａ                        １６  アクチュエータＡ
４  ストッパーＡ                    １７  アクチュエータＢ
５  ヒンジボルト                    １８  ビーム
６  ステー                          １９  吊り枠Ｂ
７  吊り具Ｂ                        ２０  長尺ボルト
８  締め付けボルト                  ２１  モータ付き減速機
９  セーフティチェーン              ２２  ガス圧ダンパ
１０  座板Ｂ                          ２３  吊り枠Ｃ
１１  ガイドパイプ
１２  スライド吊り具
１３  ストッパーＢ
【図１】
2007202100.tif 000003
【図２】
2007202100.tif 000004
【図３】
2007202100.tif 000005
【図４】
2007202100.tif 000006
【図５】
2007202100.tif 000007
【図６】
2007202100.tif 000008
【図７】
2007202100.tif 000009
【図８】
2007202100.tif 000010
【図９】
2007202100.tif 000011
【図１０】
2007202100.tif 000012
【図１１】
2007202100.tif 000013
【図１２】
2007202100.tif 000014
【図１３】
2007202100.tif 000015
【図１４】
2007202100.tif 000016
【図１５】
2007202100.tif 000017
【図１６】
2007202100.tif 000018
【図１７】
2007202100.tif 000019
【図１８】
2007202100.tif 000020